(57)【要約】【課題】ハンマーの叩打を要せずに移動手摺の調整を行うことができるようにする。【解決手段】本発明は、無端状の移動手摺１を駆動する駆動ローラ２の側部２ａ，２ｂと、移動手摺１の側部を形成する耳部１ａ，１ｂの端部１ａ１，１ｂ１との間隔が例えば５ｍｍ以上となるように調整する乗客コンベア例えばエスカレーターの移動手摺調整装置であって、ステップの側部に配置されるスカートガードが取り付けられる上部スカートガードブラケット１５に固定される上部固定部２２、及び下部スカートガードブラケット１６に取り付けられる下部固定部２３を有する本体２０と、この本体２０に取り付けられ、移動手摺１をステップに近づく側に、またはステップから離れる側に移動させる上部支えローラ９が支持されている上部支えローラブラケット１１、及び下部支えローラ１０が支持されている下部支えローラブラケット１３を変位させる変位体２４を備えている。【選択図】図５
2018154493.tif 000002
【特許請求の範囲】
【請求項１】
無端状の移動手摺を駆動する駆動ローラの側部と、前記移動手摺の側部を形成する耳部の端部との間隔が所定寸法以上となるように調整する乗客コンベアの移動手摺調整装置であって、
ステップの側部に配置されるスカートガードが取り付けられる上部スカートガードブラケットに固定される上部固定部、及び下部スカートガードブラケットに取り付けられる下部固定部を有する本体と、
前記本体に取り付けられ、前記移動手摺を前記ステップに近づく側に、または前記ステップから離れる側に移動させる支えローラが支持されている支えローラブラケットを変位させる変位体を備えることを特徴とする乗客コンベアの移動手摺調整装置。
【請求項２】
請求項１に記載の乗客コンベアの移動手摺調整装置であって、
前記上部固定部は、前記上部スカートガードブラケットに係止される腕部を有しており、
前記下部固定部は、前記下部スカートガードブラケットに係合する脚部を有していることを特徴とする乗客コンベアの移動手摺調整装置。
【請求項３】
請求項２に記載の乗客コンベアの移動手摺調整装置であって、
前記下部固定部及び前記上部固定部のうちの少なくとも一方は、上下方向に伸縮可能に設けられていることを特徴とする乗客コンベアの移動手摺調整装置。
【請求項４】
請求項１に記載の乗客コンベアの移動手摺調整装置であって、
前記変位体は、前記本体に回転自在に支持されるボルトと、前記ボルトに取り付けられて前記支えローラブラケットを回動させる回動駆動部を有するブラケット回動部とを備えることを特徴とする乗客コンベアの移動手摺調整装置。
【請求項５】
無端状の移動手摺を駆動する駆動ローラの側部と、前記移動手摺の側部を形成する耳部の端部との間隔が所定寸法以上となるように調整する乗客コンベアの移動手摺調整方法であって、
乗降口で反転して下方に位置する前記移動手摺の進行方向に対して前方側及び後方側に配置された支えローラのうちの前方側に配置された支えローラが支持されている支えローラブラケットを変位させることが可能なように、移動手摺調整装置の本体に取り付けられた変位体を配置し、
前記本体に備えられた上部固定部をステップの側部に配置されるスカートガードが取り付けられる上部スカートガードブラケットに固定し、前記本体に備えられた下部固定部を下部スカートガードブラケットに固定し、
前記移動手摺を駆動させながら前記変位体によって前記支えローラブラケットを変位させて、前記移動手摺を前記ステップに近づく側に、または前記ステップから離れる側に移動させることを特徴とする乗客コンベアの移動手摺調整方法。
【発明の詳細な説明】
【技術分野】
【０００１】
本発明は、乗客コンベアの移動手摺調整装置及び移動手摺調整方法に関する。
【背景技術】
【０００２】
特許文献１に、移動手摺の進行方向と直交する方向に延設して、移動手摺の進行に伴って移動手摺をステップに近づく側に、または離れる側に移動させる受けローラ（支えローラ）と、エスカレーター本体を構成するフレームに対して回動可能に取り付けられ、受けローラを回転可能に支持するブラケットとを備えたエスカレーター移動手摺の案内装置が開示されている。
【０００３】
移動手摺は乗客を運ぶステップと同期して移動するように構成されているが、移動手摺を駆動する駆動ローラの側部と、移動手摺の側部を形成する耳部の端部とが接触すると、移動手摺の移動速度が遅くなりステップとの同期を実現できなくなる懸念がある。このために、駆動ローラの側部と移動手摺の耳部の端部との間隔が所定寸法以上となるように、例えば５ｍｍ以上となるように駆動ローラに対する移動手摺の位置を保つことが必要になる。
【０００４】
駆動ローラの側部と移動手摺の耳部の端部との間隔が所定寸法以上確保されていない場合には従来、受けローラを支持するブラケットをハンマーで叩打してブラケットをフレームに対して微小に回動させ、回動後に移動手摺を駆動させて受けローラの回動位置に応じて移動手摺をステップに近づく側に、または離れる側に移動させ、移動手摺を移動させた後に駆動ローラの側部と移動手摺の耳部の端部との間隔寸法を測定するようにしていた。このような作業が所定寸法以上の間隔が得られるまで繰り返して行われていた。
【先行技術文献】
【特許文献】
【０００５】
【特許文献１】特開２００１−１４６３７８号公報
【発明の概要】
【発明が解決しようとする課題】
【０００６】
移動手摺の調整に際して、駆動ローラの側部と移動手摺の耳部の端部との間隔が所定寸法以上確保されていない場合には前述したように従来は、受けローラ（支えローラ）を支持するブラケットをハンマーで叩打し、移動手摺を駆動し、間隔寸法を測定する一連の作業を繰り返し行うことから、調整作業能率の向上を見込めない問題があった。また、調整作業者の熟練度に応じて調整精度にばらつきを生じやすかった。
【０００７】
上記課題を解決するために、本発明の目的は、ハンマーによる叩打を要することなく、移動手摺の調整を行うことができる乗客コンベアの移動手摺調整装置及び移動手摺調整方法を提供することにある。
【課題を解決するための手段】
【０００８】
上記課題を解決するために、本発明に係る乗客コンベアの移動手摺調整装置は、無端状の移動手摺を駆動する駆動ローラの側部と、前記移動手摺の側部を形成する耳部の端部との間隔が所定寸法以上となるように調整する乗客コンベアの移動手摺調整装置であって、ステップの側部に配置されるスカートガードが取り付けられる上部スカートガードブラケットに固定される上部固定部、及び下部スカートガードブラケットに取り付けられる下部固定部を有する本体と、前記本体に取り付けられ、前記移動手摺を前記ステップに近づく側に、または前記ステップから離れる側に移動させる支えローラが支持されている支えローラブラケットを変位させる変位体を備えることを特徴としている。
【０００９】
また、本発明に係る乗客コンベアの移動手摺調整方法は、無端状の移動手摺を駆動する駆動ローラの側部と、前記移動手摺の側部を形成する耳部の端部との間隔が所定寸法以上となるように調整する乗客コンベアの移動手摺調整方法であって、乗降口で反転して下方に位置する前記移動手摺の進行方向に対して前方側及び後方側に配置された支えローラのうちの前方側に配置された支えローラが支持されている支えローラブラケットを変位させることが可能なように、移動手摺調整装置の本体に取り付けられた変位体を配置し、前記本体に備えられた上部固定部をステップの側部に配置されるスカートガードが取り付けられる上部スカートガードブラケットに固定し、前記本体に備えられた下部固定部を下部スカートガードブラケットに固定し、前記移動手摺を駆動させながら前記変位体によって前記支えローラブラケットを変位させて、前記移動手摺を前記ステップに近づく側に、または前記ステップから離れる側に移動させることを特徴としている。
【発明の効果】
【００１０】
本発明に係る乗客コンベアの移動手摺調整装置及び移動手摺調整方法によれば、従来よりも移動手摺調整作業の能率を向上させることができる。また、作業者の熟練度によらずに良好な調整精度を確保することができる。前述した以外の課題、構成及び効果は、以下の実施形態の説明により明らかにされる。
【図面の簡単な説明】
【００１１】
【図１】乗客コンベアを構成するエスカレーターの移動手摺駆動部を示す側面図である。
【図２】エスカレーターの移動手摺駆動部を示す要部斜視図である。
【図３】図２に示す上部支えローラの取り付け部を示す斜視図である。
【図４】本発明の乗客コンベアの移動手摺調整装置の一実施形態を示す斜視図である。
【図５】本実施形態を上部スカートガードブラケット及び下部スカートガードブラケットに固定した状態を示す斜視図である。
【図６】図５の上部スカートガードブラケット部分を示す側断面図である。
【図７】図５の下部スカートガードブラケット部分を示す側断面図である。
【図８】エスカレーターの下降駆動に伴って乗降口で反転して上昇する移動手摺を、ステップに近づく側に移動させるときの移動手摺調整作業を説明する図で、（ａ）は要部斜視図、（ｂ）は上部支えローラ部分の拡大斜視図、（ｃ）は縦断面図である。
【図９】エスカレーターの下降駆動に伴って乗降口で反転して上昇する移動手摺を、ステップから離れる側に移動させるときの移動手摺調整作業を説明する図で、（ａ）は要部斜視図、（ｂ）は上部支えローラ部分の拡大斜視図、（ｃ）は縦断面図である。
【図１０】エスカレーターの上昇駆動に伴って乗降口で反転して下降する移動手摺を、ステップに近づく側に移動させるときの移動手摺調整作業を説明する図で、（ａ）は要部斜視図、（ｂ）は下部支えローラ部分の拡大斜視図、（ｃ）は縦断面図である。
【図１１】エスカレーターの上昇駆動に伴って乗降口で反転して下降する移動手摺を、ステップから離れる側に移動させるときの移動手摺調整作業を説明する図で、（ａ）は要部斜視図、（ｂ）は下部支えローラ部分の拡大斜視図、（ｃ）は縦断面図である。
【発明を実施するための形態】
【００１２】
以下、本発明に係る乗客コンベアの移動手摺調整装置及び移動手摺調整方法の実施の形態を図面に基づいて説明する。
【００１３】
本発明に係る移動手摺調整装置及び移動手摺調整方法が適用される乗客コンベアは、例えばエスカレーターである。はじめに、エスカレーターに備えられた移動手摺、及び移動手摺駆動部の構成について説明する。
【００１４】
図１及び図２に示すように、無端状の移動手摺１は両側部に耳部１ａ，１ｂが形成されており、エスカレーターの駆動に伴って往路で欄干上に露出していた移動手摺１は乗降口部分で反転し、復路では耳部１ａ，１ｂが上部に位置する反転形態となる。復路側の反転形態の移動手摺１の上側に、移動手摺１を駆動する複数の駆動ローラ２が配置され、移動手摺１の下側に、駆動ローラ２との間で移動手摺１を狭圧する複数の従動ローラが配置されている。
【００１５】
駆動ローラ２は、ターミナルギヤ５の回転力がチェーン４を介して伝達されて回転する。チェーン４の張力はギヤ６によって確保されている。
【００１６】
移動手摺１の進行方向に対して従動ローラ３の外側位置には、移動手摺１を、乗客を運ぶステップに近づく側に、またはステップから離れる側に移動させる支えローラが配置されている。この支えローラは、エスカレーターの下降駆動時において反転した移動手摺１が矢印７で示すように上方に向う際に前方側となる上部支えローラ９と、エスカレーターの上昇駆動時において反転した移動手摺１が矢印８で示すように下方に向う際に前方側となる下部支えローラ１０とから成っている。
【００１７】
図３に示すように、上部支えローラ９及びこの上部支えローラ９の軸９ａは、移動手摺１の進行方向に対して直交する方向に延設している。軸９ａは、上部支えローラブラケット１１に支持されている。上部支えローラブラケット１１は、側面視Ｌ字形状に形成されており、エスカレーター本体を構成するフレーム１２の上部１２ａ画含まれる面に沿って回動可能な底部１１ａと、底部１１ａの一端から立設する立設部１１ｂとを有し、立設部１１ｂに上部支えローラ９の軸９ａが支持されている。図示しないが、上部支えローラブラケット１１の底部１１ａには移動手摺１の進行方向に沿って延設した長穴が形成されており、この長穴に挿入したボルトによって上部支えローラブラケット１１はフレーム１２の上部１２ａに締結されている。ボルトによる締結を緩めると、上部支えローラブラケット１１は、フレーム１２の上部１２ａが含まれる面に沿って回動可能となる。
【００１８】
下部支えローラ１０側も同様に構成されている。すなわち、後述の図１０の（ｂ）及び図１１の（ｂ）で示すように、下部支えローラ１０及びこの下部支えローラ１０の軸１０ａは、移動手摺１の進行方向に対して直交する方向に延設している。軸１０ａは、下部支えローラブラケット１３に支持されている。下部支えローラブラケット１３は、側面視Ｌ字形状に形成されており、エスカレーター本体を構成するフレーム１２の上部１２ａが含まれる面に沿って回動可能な底部１３ａと、底部１３ａの一端から立設する立設部１３ｂとを有し、立設部１３ｂに下部支えローラ１０の軸１０ａが支持されている。図示しないが、下部支えローラブラケット１３の底部１３ａには移動手摺１の進行方向に沿って延設した長穴が形成されており、この長穴に挿入したボルトによって下部支えローラブラケット１３はフレーム１２に締結されている。ボルトによる締結を緩めると、下部支えローラブラケット１３は、フレーム１２の上部１２ａが含まれる面に沿って回動可能となる。
【００１９】
次に、本発明に係る移動手摺調整装置の一実施形態の構成について説明する。
【００２０】
図４に示すように、本実施形態に係る移動手摺調整装置は、図示しないステップの側部に配置される図示しないスカートガードが取り付けられる上部スカートガードブラケット１５（図５に示す）に固定される上部固定部２２、及び下部スカートガードブラケット１６（図５に示す）に固定される下部固定部２３を有する本体２０を備えている。また、本体２０に取り付けられ、移動手摺１を図示しないステップに近づく側に、またはステップから離れる側に移動させる支えローラ、すなわち上部支えローラ９（図５に示す）、及び下部支えローラ１０（図１０，１１に示す）を変位させる変位体２４を備えている。
【００２１】
本体２０は、ベース部２１を備え、このベース部２１に上部固定部２２と下部固定部２３とが固定されている。
【００２２】
図４に示すように、上部固定部２２は、ベース部２１に固定されて上下方向に立設する立設部２２ａと、上部スカートガードブラケット１５に係止される一対の腕部２２ｂと、腕部２２ｂのそれぞれに螺合して図５に示す上部スカートガードブラケット１５の立設部１５ｂを押圧し、立設部２２ａとの協働で上部スカートガードブラケット１５の立設部１５ｂを挟持する２本のボルト２２ｃとを備えている。
【００２３】
上部固定部２２の腕部２２ｂは図６に示すように、上部支えローラ９の延設方向に延設した延設部２２ｂ１と、この延設部２２ｂ１の立設部２２ａから離れる側の端部から垂下する垂下部２２ｂ２とを有し、垂下部２２ｂ２にボルト２２ｃが螺合するねじ穴２２ｂ３を形成してある。
【００２４】
図４に示すように、下部固定部２３は、ベース部２１に固定された一対の垂下部２３ａと、これらの垂下部２３ａに上下方向の移動可能に取り付けられ図５に示す下部スカートガードブラケット１６に係合する一対の脚部２３ｂと、これらの脚部２３ｂを垂下部２３ａに締結する２本の蝶ねじ２３ｃとを備えている。また、これらの蝶ねじ２３ｃに螺合して、蝶ねじ２３ｃとの協働により垂下部２３ａと脚部２３ｂとを挟持する図７に示す蝶ナット２３ｄを備えている。
【００２５】
垂下部２３ａのそれぞれには、上下方向に延設した長穴２３ａ１が形成されており、蝶ねじ２３ｃは長穴２３ａ１に挿通している。垂下部２３ａに形成した長穴２３ａ１、蝶ねじ２３ｃ、及び蝶ナット２３ｄは、下部固定部２３を上下方向に伸縮可能にさせる手段を構成している。
【００２６】
図７に示すように、下部固定部２３の脚部２３ｂは、下部スカートガードブラケット１６の底部１６ａに当接する底部２３ｂ１と、この底部２３ｂ１の一端から立設して下部スカートガードブラケット１６の立設部１６ｂに対向する立設部２３ｂ２を有している。
【００２７】
図４に示すように本体２０は、下部固定部２３の上方位置にボルト支持部２５を有している。このボルト支持部２５は、ベース部２１に固定され横方向に延設した延設部２５ａと、この延設部２５ａに横方向の移動可能に取り付けられた可動部２５ｂとを有している。可動部２５ｂには、横方向に延設した長穴２５ｂ１が形成されており、この長穴２５ｂ１に挿入した蝶ねじ２５ｃによって可動部２５ｂは延設部２５ａに締結されている。蝶ねじ２５ｃによる締結を緩めると、延設部２５ａに対して可動部２５ｂは横方向に移動可能となる。なお図示しないが、可動部２５ｂの裏面側には蝶ねじ２５ｃに螺合して可動部２５ｂと延設部２５ａを締結する蝶ナットが設けられている。
【００２８】
図４に示すように、変位体２４は、ボルト支持部２５を構成する可動部２５ｂに形成したねじ穴２５ｂ２に螺合するボルト２６と、このボルト２６に取り付けられたブラケット回動部２７と、このブラケット回動部２７をボルト２６に固定するロックナット２８とを備えている。
【００２９】
ブラケット回動部２７は、ボルト２６に取り付けられた取り付け部２７ａと、この取り付け部２７ａの一端に連設され、ボルト２６の伸長方向に延設した延設部２７ｂと、この延設部２７ｂに連設された第１対向部２７ｃ及び第２対向部２７ｄとを有している。第１対向部２７ｃ及び第２対向部２７ｄは、上部支えローラブラケット１１及び下部支えローラブラケット１３を回動させる回動駆動部を構成している。
【００３０】
第１対向部２７ｃは、上部支えローラ９が支持される図５に示す上部支えローラブラケット１１の立設部１１ｂ、及び下部支えローラ１０が支持される図１０，１１に示す下部支えローラブラケット１３の立設部１３ｂのそれぞれの表面側（ステップ側）に対向するように設けられ、第２対向部２７ｄは、上部支えローラ９が支持される図５に示す上部支えローラブラケット１１の立設部１１ｂ、及び下部支えローラ１０が支持される図１０，１１に示す下部支えローラブラケット１３の立設部１３ｂのそれぞれの裏面側（反ステップ側）に対向するように設けられている。第１対向部２７ｃと第２対向部２７ｄとの間隔は、上部支えローラブラケット１１の立設部１１ｂの厚さ寸法、及び下部支えローラブラケット１３の立設部１３ｂの厚さ寸法よりも大きく設定されている。
【００３１】
次に、前述のように構成された本実施形態に係る移動手摺調整装置を用いて行われる移動手摺調整方法の一実施形態について説明する。
【００３２】
本実施形態に係る移動手摺調整方法の実施に際し、乗降口で反転して下方に位置する移動手摺１の進行方向に対して前方側及び後方側に配置された支えローラのうちの前方側に配置された支えローラが支持されている支えローラブラケットを変位させることが可能なように、前述した移動手摺調整装置の本体２０に取り付けられた変位体２４を配置する。そして、本体２０に備えられた上部固定部２２をステップの側部に配置されるスカートガードが取り付けられる上部スカートガードブラケット１５に固定し、本体２０に備えられた下部固定部２３を下部スカートガードブラケットに１６固定する。
【００３３】
この状態において、本実施形態に係る移動手摺調整方法は、移動手摺１を駆動させながら変位体２４によって上部支えローラブラケット１１または下部支えローラブラケット１３を変位させて、上部支えローラ９または下部支えローラ１０を微小に回動させ、これにより移動手摺１をステップに近づく側に、またはステップから離れる側に移動させるものである。以下、本実施形態に係る移動手摺調整方法について詳述する。
【００３４】
はじめに、エスカレーターが下降駆動し図８の（ａ）の矢印３０で示すように移動手摺１が上方に向って進行する状態にあって、駆動ローラ２の同図８の（ｃ）に示す側部２ａと、反転した移動手摺１の耳部１ａの端部１ａ１との間隔が所定寸法、例えば５ｍｍより小さくて調整が必要な場合に、反転した移動手摺１をステップに近づく側に移動させる第１の調整について説明する。
【００３５】
前述した移動手摺調整装置を設置するに際しては、図５に示す上部固定部２２の２本のボルト２２ｃを緩めるとともに、下部固定部２３の２本の蝶ねじ２３ｃを緩めて脚部２３ｂのそれぞれを下げた状態にする。また、ボルト支持部２５の蝶ねじ２５ｃを緩め、可動部２５ｂを横方向に移動可能な状態にする。
【００３６】
このような状態で、例えば上部支えローラブラケット１１に形成した図示しない長穴に挿入された図示しないボルトを緩め、上部スカートガードブラケット１５の立設部１５ｂの上端に本体２０の上部固定部２２を引っ掛ける。
【００３７】
ここで例えば、変位体２４に備えられたブラケット回動部２７の第１対向部２７ｃを上部支えローラブラケット１１の立設部１１ｂの表面側に位置させ、第２対向部２７ｄを立設部１１ｂの裏面側に位置させるようにして、第１対向部２７ｃと第２対向部２７ｄとによって上部支えローラブラケット１１の立設部１１ｂを挟み込む。この状態で蝶ねじ２５ｃを締めて可動部２５ｂを延設部２５ａに締結する。
【００３８】
また、２本のボルト２２ｃを締めて、上部固定部２２を上部スカートガードブラケット１５の立設部１５ｂに固定する。
【００３９】
また、下部固定部２３の脚部２３ｂを引き上げて、下部スカートガードブラケット１６の底部１６ａに脚部２３ｂの底部２３ｂ１を当接させ、この状態で２本の蝶ねじ２３ｃを締めて下部固定部２３を下部スカートガードブラケット１６に固定する。このようにして本実施形態に係る移動手摺調整装置が、上部スカートガードブラケット１５と下部スカートガードブラケット１６に強固に固定される。
【００４０】
この状態から、変位体２４のボルト２６を回転させてブラケット回動部２７を本体２０に近づく側に引き寄せると、第１対向部２７ｃと第２対向部２７ｄとによって挟持されたフレーム１２の上部１２ａ上の上部支えローラブラケット１１を、矢印３１方向に微小に回動させることができる。このとき、上部支えローラブラケット１１に支持された上部支えローラ９が上部支えローラブラケット１１と一体的に矢印３１方向に回動する。
【００４１】
この上部支えローラ９の回動により上部支えローラ９の延設方向が、矢印３０で示す移動手摺１の進行方向と直交する方向から反進行方向側へわずかに変位した方向になる。このときの上部支えローラ９の延設形態における移動手摺１の進行により、移動手摺１は同図８の（ａ）（ｃ）に示すようにステップに近づく側に移動する。移動手摺１をステップに近づく側に移動させた後には、エスカレーターを停止させて、移動手摺１の耳部１ａの端部１ａ１と駆動ローラ２の側部２ａとの間隔寸法の計測、及び移動手摺１の耳部１ｂの端部１ｂ１と駆動ローラ２の側部２ｂとの間隔寸法の計測が実施される。
【００４２】
これにより、図８の（ｃ）に示す駆動ローラ２の側部２ａと移動手摺１の耳部１ａの端部１ａ１との間隔を、駆動ローラ２の側部２ｂと移動手摺１の耳部１ｂの端部１ｂ１との間隔と同様に、５ｍｍ以上の間隔とすることができる。このように駆動ローラ２の側部２ａ，２ｂと、移動手摺１の耳部１ａ，１ｂの端部１ａ１，１ｂ１との間隔が５ｍｍ以上の間隔に設定されると、上部支えローラブラケット１１に形成した図示しない長穴に挿入された図示しないボルトが締め付けられ、上部支えローラ９を支持する上部支えローラブラケット１１がフレーム１２の上部１２ａに締結される。
【００４３】
次に、エスカレーターが下降駆動し図９の（ａ）の矢印３０で示すように、移動手摺１が上方に向って進行する状態にあって、駆動ローラ２の同図９の（ｃ）に示す側部２ｂと、反転した移動手摺１の耳部１ｂの端部１ｂ１との間隔が５ｍｍより小さくて調整が必要な場合に、反転した移動手摺１をステップから離れる側に移動させる第２の調整について説明する。
【００４４】
この第２の調整も、本実施形態に係る移動手摺調整装置の設置は第１の調整の場合と同様である。すなわち、上部固定部２２を上部スカートガードブラケット１５に固定し、下部固定部２３を下部スカートガードブラケット１６に固定し、変位体２４に備えられたブラケット回動部２７の第１対向部２７ｃと第２対向部２７ｄとによって、上部支えローラ９を支持する上部支えローラブラケット１１の立設部１１ｂを挟み込む。
【００４５】
この状態から、変位体２４のボルト２６を回転させて、ブラケット回動部２７を本体２０から離れる側に押し込むと、上部支えローラブラケット１１を同図９の（ａ）（ｂ）の矢印３３で示すように時計回りに微小に回動させることができる。このとき、上部支えローラブラケット１１に支持された上部支えローラ９が上部支えローラブラケット１１と一体的に矢印３３方向に回動する。
【００４６】
この上部支えローラ９の回動により上部支えローラ９の延設方向が、矢印３０で示す移動手摺１の進行方向と直交する方向から進行方向側へわずかに変位した方向になる。このときの上部支えローラ９の延設形態における移動手摺１の進行により、移動手摺１は同図９の（ａ）（ｃ）に示すようにステップから離れる側に移動する。移動手摺１をステップから離れる側に移動させた後には、エスカレーターを停止させて、移動手摺１の耳部１ｂの端部１ｂ１と駆動ローラ２の側部２ｂとの間隔寸法の計測、及び移動手摺１の耳部１ａの端部１ａ１と駆動ローラ２の側部２ａとの間隔寸法の計測が実施される。
【００４７】
これにより、図９の（ｃ）に示す駆動ローラ２の側部２ｂと移動手摺１の耳部１ｂの端部１ｂ１との間隔を、駆動ローラ２の側部２ａと移動手摺１の耳部１ａの端部１ａ１との間隔と同様に、５ｍｍ以上の間隔とすることができる。
【００４８】
次に、エスカレーターが上昇駆動し図１０の（ａ）の矢印４０で示すように、移動手摺１が下方に進行する状態にあって、駆動ローラ２の同図１０の（ｃ）に示す側部２ａと、反転した移動手摺１の耳部１ａの端部１ａ１との間隔が５ｍｍより小さくて調整が必要な場合に、反転した移動手摺１をステップに近づく側に移動させる第３の調整について説明する。
【００４９】
この第３の調整も本実施形態に係る移動手摺調整装置の設置については、基本的には第１の調整の場合と同様である。すなわち、上部固定部２２を上部スカートガードブラケット１５に固定し、下部固定部２３を下部スカートガードブラケット１６に固定し、変位体２４に備えられたブラケット回動部２７の第１対向部２７ｃと第２対向部２７ｄとによって、下部支えローラ１０を支持する下部支えローラブラケット１３を挟み込む。
【００５０】
この状態から、変位体２４のボルト２６を回転させて、ブラケット回動部２７を本体２０から離れる側に押し込むと、下部支えローラブラケット１３を同図１０の（ａ）（ｂ）の矢印４１で示すように時計回りに微小に回動させることができる。このとき、下部支えローラブラケット１３に支持された下部支えローラ１０が下部支えローラブラケット１３と一体的に矢印４１方向に回動する。
【００５１】
この下部支えローラ１０の回動により下部支えローラ１０の延設方向が、矢印４０で示す移動手摺１の進行方向と直交する方向から反進行方向側へわずかに変位した方向になる。このときの下部支えローラ１０の延設形態における移動手摺１の進行により、移動手摺１は同図１０の（ａ）（ｃ）に示すようにステップに近づく側に移動する。移動手摺１をステップに近づく側に移動させた後には、エスカレーターを停止させて、移動手摺１の耳部１ａの端部１ａ１と駆動ローラ２の側部２ａとの間隔寸法の計測、及び移動手摺１の耳部１ｂの端部１ｂ１と駆動ローラ２の側部２ｂとの間隔寸法の計測が実施される。
【００５２】
これにより、図１０の（ｃ）に示す駆動ローラ２の側部２ａと移動手摺１の耳部１ａの端部１ａ１との間隔を、駆動ローラ２の側部２ｂと移動手摺１の耳部１ｂの端部１ｂ１との間隔と同様に、５ｍｍ以上の間隔とすることができる。
【００５３】
最後に、エスカレーターが上昇駆動し図１１の（ａ）の矢印４０で示すように、移動手摺１が下方に向って進行する状態にあって、駆動ローラ２の同図１１の（ｃ）に示す側部２ｂと、反転した移動手摺１の耳部１ｂの端部１ｂ１との間隔が５ｍｍより小さくて調整が必要な場合に、反転した移動手摺１をステップから離れる側に移動させる第４の調整について説明する。
【００５４】
この第４の調整も、本実施形態に係る移動手摺調整装置の設置は第３の調整の場合と同様である。すなわち、上部固定部２２を上部スカートガードブラケット１５に固定し、下部固定部２３を下部スカートガードブラケット１６に固定し、変位体２４に備えられたブラケット回動部２７の第１対向部２７ｃと第２対向部２７ｄとによって、下部支えローラ１０を支持する下部支えローラブラケット１３の立設部１３ｂを挟み込む。
【００５５】
この状態から、変位体２４のボルト２６を回転させて、ブラケット回動部２７を本体２０に近づく側に引き寄せると、下部支えローラブラケット１３を同図１１の（ａ）（ｂ）の矢印４３で示すように反時計回りに微小に回動させることができる。このとき、下部支えローラブラケット１３に支持された下部支えローラ１０が下部支えローラブラケット１３と一体的に矢印４３方向に回動する。
【００５６】
この下部支えローラ１０の回動により下部支えローラ１０の延設方向が、矢印４０で示す移動手摺１の進行方向と直交する方向から進行方向側へわずかに変位した方向になる。このときの下部支えローラ１０の延設形態における移動手摺１の進行により、移動手摺１は同図１１の（ａ）（ｃ）に示すようにステップから離れる側に移動する。移動手摺１をステップから離れる側に移動させた後には、エスカレーターを停止させて、移動手摺１の耳部１ｂの端部１ｂ１と駆動ローラ２の側部２ｂとの間隔寸法の計測、及び移動手摺１の耳部１ａの端部１ａ１と駆動ローラ２の側部２ａとの間隔寸法の計測が実施される。
【００５７】
これにより、図１１の（ｃ）に示す駆動ローラ２の側部２ｂと移動手摺１の耳部１ｂの端部１ｂ１との間隔を、駆動ローラ２の側部２ａと移動手摺１の耳部１ａの端部１ａ１との間隔と同様に、５ｍｍ以上の間隔とすることができる。
【００５８】
以上のように構成した本実施形態に係るエスカレーターの移動手摺調整装置及び移動手摺調整方法によれば、上部固定部２２及び下部固定部２３を介して上部スカートガードブラケット１５及び下部スカートガードブラケット１６に固定した本体２０に取り付けられた変位体２４のボルト２６を回転させるだけで、ハンマーによる上部支えローラブラケット１１、及び下部支えローラブラケット１３の叩打によることなく、上部支えローラブラケット１１、及び下部支えローラブラケット１３を微小に回動させることができる。これに伴って上部支えローラ９、及び下部支えローラ１０を回動させて、移動手摺１の耳部１ａ，１ｂの端部２ａ１，２ｂ１と駆動ローラ２の側部２ａ，２ｂとの間隔が、これらの移動手摺１の耳部１ａ，１ｂの端部１ａ１，１ｂ１と駆動ローラ２の側部２ａ，２ｂとが接触する虞のない所定寸法以上の間隔、例えば５ｍｍ以上の間隔となるように、移動手摺１の位置を容易に調整することができる。これにより、移動手摺１の調整作業の能率を向上させることができる。また、作業者の熟練度によることなく良好な調整精度を確保することができる。
【００５９】
また、本実施形態に係る移動手摺調整装置は、上部固定部２２及び下部固定部２３を有する本体２０と、この本体２０に取り付けられブラケット回動部２７及びボルト２６を有する変位体２４を備えたコンパクトな構成であることから、エスカレーターの移動手摺１の調整現場まで容易に持ち運ぶことができる。また、ベース部２１から下部固定部２３の脚部２３ｂを取り外し、変位体２４を支持するボルト支持部２５の可動部２５ｂを延設部２５ａから取り外して複数の分解部品とすれば、よりコンパクトな形態で移動手摺１の調整現場まで持ち運ぶことができる。
【００６０】
また、本実施形態に係る移動手摺調整装置は、上部スカートガードブラケット１５に係止される一対の腕部２２ｂを有する上部固定部２２、及び下部スカートガードブラケット１６に係合する一対の脚部２３ｂを有する下部固定部２３が設けられた本体２０を備え、この本体２０によって上部支えローラブラケット１１、下部支えローラブラケット１３を変位させる、すなわち回動させる変位体２４を強固に支持することができるので、移動手摺１の調整精度を高めることができる。
【００６１】
また、本実施形態に係る移動手摺調整装置は、上部固定部２２の立設部２２ａと、一対の腕部２２ｂに取り付けた２本のボルト２２ｃとによって上部スカートガードブラケット１５の立設部１５ｂを挟み込み、ボルト２２ｃを締め付けることによって上部固定部２２を上部スカートガードブラケット１５に強固に固定することができる。
【００６２】
また、垂下部２３ａに形成した長穴２３ａ１と２本の蝶ねじ２３ｃを介して下部固定部２３を上下方向に伸縮可能な構成にしてあることから、下部固定部２３を伸縮させることにより、この下部固定部２３を下部スカートガードブラケット１６に容易に固定することができる。また、蝶ねじ２３ｃの締結によって下部固定部２３を下部スカートガードブラケット１６に強固に固定することができる。
【００６３】
また、本実施形態に係る移動手摺調整装置は、ボルト支持部２５の可動部２５ｂに形成した長穴２５ｂ１と蝶ねじ２５ｃとを介して可動部２５ｂを延設部２５ａに対して横方向に伸縮可能に構成してあることから、可動部２５ｂを伸縮させることにより、変位体２４に備えられたブラケット回動部２７の第１対向部２７ｃと第２対向部２７ｄとを、上部支えローラブラケット１１の立設部１１ｂ、下部支えローラブラケット１３の立設部１３ｂを挟み込むように容易に配置することができる。また、蝶ねじ２５ｃの締め付けによって変位体２４をボルト支持部２５に強固に固定することができる。
【００６４】
また、本実施形態に係る移動手摺調整装置は、変位体２４に備えられたブラケット回動部２７が上部支えローラブラケット１１の立設部１１ｂ、下部支えローラブラケット１３の立設部１３ｂを挟み込むように配置される第１対向部７ｃ及び第２対向部２７ｄを備えていることから、これらの第１対向部７ｃ及び第２対向部２７ｄを介して上部支えローラブラケット１１、及び下部支えローラブラケット１３をフレーム１２の上部１２ａが含まれる面に沿って確実に回動させることができる。
【００６５】
また、本実施形態に係る移動手摺調整装置は、変位体２４に備えられたブラケット回動部２７の取り付け部２７ａの表面側と裏面側のそれぞれに一対ずつ配置したロックナット２８によって、変位体２４に備えられたボルト２６とブラケット回動部２７とを強固に固定することができる。
【００６６】
なお、本実施形態に係る移動手摺調整装置にあっては、本体２０の下部固定部２３を上下方向に伸縮可能な構成にしてあるが、下部固定部２３を上下方向に伸縮可能な構成とせずに、上部固定部２２を上下方向に伸縮可能な構成にしてもよく、また、上部固定部２２と下部固定部２３の双方を上下方向に伸縮可能な構成にしてもよい。
【００６７】
また、ボルト支持部２５を延設部２５ａと可動部２５ｂとを有する構成にしてあるが、ボルト支持部２５を可動部２５ｂを有さない延設部２５ａのみによって構成し、その延設部２５ａに変位体２４に備えられるボルト２６が螺合するねじ穴を形成してもよい。
【００６８】
また、本実施形態に係る移動手摺調整装置は、ボルト支持部２５の可動部２５ｂに変位体２４を構成するボルト２６が螺合するねじ穴２５ｂ２を形成してあるが、可動部２５ｂにボルト２６が挿通するねじが形成されない貫通穴を設け、可動部２５ｂの前面側及び裏面側のうちの少なくとも一方に、貫通穴に連通し、ボルト２６が螺合するねじ穴を有するナットを溶接部を介して固定するようにしてもよい。
【００６９】
また、ロックナット２８によって変位体２４のボルト２６とブラケット回動部２７とを固定する構成にしてあるが、ロックナット２８を備えずに、ボルト２６とブラケット回動部２７とを溶接部を介して一体に固定する構成としてもよい。
【００７０】
また、本実施形態に係る移動手摺調整装置は、変位体２４をボルト２６と、このボルト２６に取り付けられ第１対向部２７ｃと第２対向部２７ｄを有するブラケット回動部２７とを備えた構成にしてあるが、本発明は、変位体２４がボルト２６とブラケット回動部２７を有する構成には限定されない。例えば、変位体２４を、上部支えローラブラケット１１の立設部１１ｂ、及び下部支えローラブラケット１３の立設部１３ｂを把持可能な把持部と、この把持部に連結されて例えばワイヤー等から成る無端状の牽引部と、本体２０に回動可能に取り付けられ牽引部を移動させるプーリ等の回動部と、回動部を回動させる操作部材とを有する構成にしてもよい。このように構成されたものでは、操作部材による回動部の回動操作に応じて牽引部の移動方向を変化させることができ、把持部を介して上部支えローラブラケット１１及び下部支えローラブラケット１３を所望の方向に回動させることができる。
【００７１】
また、このように構成される場合、前述した操作部材を除き、プーリ等の回動部を駆動させるモータと、モータの駆動を制御する操作部とを備えた構成にしてもよい。このように構成したものでは、操作部の操作によるモータの回転方向の制御によって、回動部の回動、牽引部の移動、及び把持部による把持を介して上部支えローラブラケット１１及び下部支えローラブラケット１３を所望の方向に容易に回動させることができる。
【００７２】
また例えば、変位体２４を、上部支えローラブラケット１１の立設部１１ｂ、及び下部支えローラブラケット１３の立設部１３ｂを把持可能な把持部と、この把持部に連結されて例えば剛性を有し、長手方向に所定ピッチでギヤの歯が挿入される穴が形成された長尺部材と、本体２０に回動可能に取り付けられ長尺部材を長手方向に移動させることが可能なギヤと、このギヤを駆動させるモータと、モータの駆動を制御する操作部とを備えた構成にしてもよい。このように構成したものでは、操作部の操作によるモータの回転方向の制御によって、ギヤの回動、長尺部材の長手方向の移動、及び把持部による把持を介して上部支えローラブラケット１１及び下部支えローラブラケット１３を所望の方向に容易に回動させることができる。
【００７３】
なお、前述した実施形態にあっては、乗客コンベアがエスカレーターによって構成されているが、本発明は、エスカレーターに適用されることには限定されず、動く歩道等の乗客コンベアにも適用することができる。
【００７４】
なお、各部の構成は図示の実施形態に限定されるものではなく、本発明の主旨を逸脱しない範囲で種々の変更が可能である。
【符号の説明】
【００７５】
１・・移動手摺、１ａ・・耳部、１ａ１・・端部、１ｂ・・耳部、１ｂ１・・端部、２・・駆動ローラ、９・・上部支えローラ、１０・・下部支えローラ、１１・・上部支えローラブラケット、１２・・フレーム、１３・・下部支えローラブラケット、１５・・上部スカートガードブラケット、１６・・下部スカートガードブラケット、２０・・本体、２１・・ベース部、２２・・上部固定部、２２ｂ・・腕部、２２ｃ・・ボルト、２３・・下部固定部、２３ａ・・垂下部、２３ａ１・・長穴、２３ｂ・・脚部、２３ｃ・・蝶ねじ、２３ｄ・・蝶ナット、２４・・変位体、２５・・ボルト支持部、２６・・ボルト、２７・・ブラケット回動部、２７ｃ・・第１対向部（回動駆動部）、２７ｄ・・第２対向部（回動駆動部）
【図１】
2018154493.tif 000003
【図２】
2018154493.tif 000004
【図３】
2018154493.tif 000005
【図４】
2018154493.tif 000006
【図５】
2018154493.tif 000007
【図６】
2018154493.tif 000008
【図７】
2018154493.tif 000009
【図８】
2018154493.tif 000010
【図９】
2018154493.tif 000011
【図１０】
2018154493.tif 000012
【図１１】
2018154493.tif 000013